(57)【要約】【課題】  ボルトの張力を受圧体へ伝達する伝達度合いを高めたロックボルトを提供することにある。【解決手段】  ロックボルト１００は、ボルト１０と、ボルト１０に取り付けられるナット２０と、ボルト１０を通すための挿通孔３０ａを有するナット２０を受けるための受圧体３０とを含む。受圧体３０は、ナット２０を受けるナット受け部３２を有し、ナット受け部３２には、ナット２０と接触する突起部３４が設けられている。突起部３４は、帯状又は点状である。ナット受け部３２は、ナット２０が設けられる側に湾曲している態様またはナットが設けられる側と反対側に湾曲している態様をとることができる。【選択図】図１
2011226115.tif 000002
【特許請求の範囲】
【請求項１】
ボルトと、
前記ボルトに取り付けられるナットと、
前記ボルトを通すための挿通孔を有し、前記ナットを受けるための受圧体とを含み、
前記受圧体は、前記ナットを受けるナット受け部を有し、
前記ナット受け部には、前記ナットと接触する突起部が設けられているロックボルト。
【請求項２】
請求項１において、
前記突起部は、帯状又は点状であるロックボルト。
【請求項３】
請求項１または２において、
前記ナット受け部は、前記ナットが設けられる側に湾曲しているロックボルト。
【請求項４】
請求項１または２において、
前記ナット受け部は、前記ナットが設けられる側と反対側に湾曲しているロックボルト。
【請求項５】
請求項１〜４のいずれかにおいて、
前記突起部は、前記受け部の径方向に伸びるように設けられているロックボルト。
【請求項６】
請求項１〜５のいずれかにおいて、
前記突起部は、前記受け部の周方向に伸びるように設けられているロックボルト。
【請求項７】
請求項１〜６のいずれかにおいて、
前記ナットは、前記受圧体を受ける部分が湾曲した形状を有するロックボルト。
【請求項８】
請求項１〜７のいずれかにおいて、
前記受圧体の下面に水を通すための流路が設けられているロックボルト。
【請求項９】
請求項１〜８のいずれかにおいて、
前記受圧体の前記ナットの受け部の周囲に、前記挿通孔に水が侵入するのを防ぐ水侵入防止部が設けられているロックボルト。
【請求項１０】
請求項１〜９のいずれかにおいて、
前記キャップと前記ナットとは一体的に設けられているロックボルト。
【請求項１１】
ボルトとナットとを含むロックボルトにおいて、前記ナットが前記ボルトに取り付けられた際に接触して前記ボルトの引張力を地盤に伝達するための受圧体であって、
前記ナットを受けるナット受け部を有し、
前記ナット受け部には、前記ナットと接触する突起部が設けられている受圧体。
【請求項１２】
請求項１１において、
前記突起部は、帯状又は点状である受圧体。
【請求項１３】
請求項１１または１２において、
前記ナット受け部は、前記ナットが設けられる側に湾曲している受圧体。
【請求項１４】
請求項１１または１２において、
前記ナット受け部は、前記ナットが設けられる側と反対側に湾曲している受圧体。
【発明の詳細な説明】
【技術分野】
【０００１】
本発明は、土壌を安定化させるためのロックボルトおよび受圧体に関する。
【背景技術】
【０００２】
土壌を安定化させるために、ロックボルトを定着する技術が提案されている（特開）。ロックボルトは、支圧板にボルトを挿通し、ナットをボルトに螺着し、ボルトの張力をナットを通じて支圧板に伝達するものである。
【先行技術文献】
【特許文献】
【０００３】
【特許文献１】特開２０００−１４５７４３号公報
【発明の概要】
【発明が解決しようとする課題】
【０００４】
本発明の目的は、ボルトの張力を受圧体へ伝達する伝達度合いを高めたロックボルトを提供することにある。
【０００５】
本発明の他の目的は、ボルトの張力が伝達し易い受圧体を提供することにある。
【課題を解決するための手段】
【０００６】
１．ロックボルト
本発明のロックボルトは、
ボルトと、
前記ボルトに取り付けられるナットと、
前記ボルトを通すための挿通孔を有し、前記ナットを受けるための受圧体とを含み、
前記受圧体は、前記ナットを受けるナット受け部を有し、
前記ナット受け部には、前記ナットと接触する突起部が設けられている。
【０００７】
本発明において、ナット受け部には、前記ナットと接触する突起部が設けられている。突起部が存在することで、ナットとナット受け部との当接度合い、つまり嵌合度合いを高めることができ、ボルトの張力を受圧体へ伝達する伝達度合いを高めることができる。
【０００８】
本発明において、前記突起部は、帯状又は点状とすることができる。
【０００９】
ナットが突起部に点接触又は線接触することで、面接触に比べて、ナットが受圧体に対してしっかり当接することになり、受圧体に張力をより効果的に伝達させることができる。また、ナットが緩み難いという利点もある。
【００１０】
本発明において、前記ナット受け部は、前記ナットが設けられる側に湾曲していることができる。これにより、ナット受け部の強度を高めることができる。
【００１１】
本発明において、前記ナット受け部は、前記ナットが設けられる側と反対側に湾曲していることができる。これにより、ナット受け部の強度を高めることができる。また、ボルトの地面への突出部分を短くすることができる。
【００１２】
本発明において、前記突起部は、前記受け部の径方向に伸びるように設けられていることができる。これにより、突起部がリブとしての機能を奏することになり、ナット受け部の強度を向上させることができる。
【００１３】
本発明において、前記突起部は、前記受け部の周方向に伸びるように設けられていることができる。これにより、突起部がリブとしての機能を奏することになり、ナット受け部の強度を向上させることができる。また、この突起部が水の侵入を防ぐことができる。
【００１４】
本発明において、前記ナットは、前記受圧体を受ける部分が湾曲した形状を有することができる。これにより、ナットのナット受け部への密着度合いを高めることができる。
【００１５】
本発明において、前記受圧体の下面に水を通すための流路が設けられていることができる。これにより、ロックボルトが地盤に敷設された場合に、ボルトが収められる掘削孔内に水が侵入するのを防ぐことができる。
【００１６】
本発明において、前記受圧体の前記ナットの受け部の周囲に、前記挿通孔に水が侵入するのを防ぐ水侵入防止部が設けられていることができる。これにより、ナット受け部内に水が侵入するのを防ぐことができる。
【００１７】
２．受圧体
本発明の受圧体は、ボルトとナットとを含むロックボルトにおいて、前記ナットが前記ボルトに取り付けられた際に接触して前記ボルトの引張力を地盤に伝達するための受圧体であって、前記ナットを受けるナット受け部を有し、前記ナット受け部には、前記ナットと接触する突起部が設けられている。
【００１８】
本発明の受圧体は、本発明のロックボルトに好適に使用されるものである。つまり、本発明の受圧体によれば、ナットを締める際に、ナットとナット受け部との当接度合いを高めることができ、ボルトの張力の受圧体への伝達度合いを高めることができる。
【００１９】
本発明において、前記突起部は、帯状又は点状であることができる。
【００２０】
本発明において、前記突起部は、帯状又は点状とすることができる。
【００２１】
ナットが突起部に点接触又は線接触することで、面接触に比べて、ナットが受圧体に対してしっかり当接することになり、受圧体に張力をより効果的に伝達させることができる。また、ナットが緩み難いという利点もある。
【００２２】
本発明において、前記ナット受け部は、前記ナットが設けられる側に湾曲していることができる。これにより、ナット受け部の強度を高めることができる。
【００２３】
本発明において、前記ナット受け部は、前記ナットが設けられる側と反対側に湾曲していることができる。これにより、ナット受け部の強度を高めることができる。
【図面の簡単な説明】
【００２４】
【図１】ロックボルトを模式的に示す斜視図である。
【図２】ロックボルトの断面を模式的に示す図である。
【図３】ロックボルトの分解斜視図である。
【図４】ロックボルトの他の例を模式的に示す図である。
【図５】図４のロックボルトの断面を模式的に示す図である。
【図６】図４のロックボルトの分解斜視図である。
【図７】受圧体を模式的に示す図である。
【図８】受圧体を模式的に示す図である。
【図９】受圧体を模式的に示す図である。
【図１０】受圧体の他の例を模式的に示す図である。
【図１１】受圧体の他の例を模式的に示す図である。
【図１２】受圧体の他の例を模式的に示す図である。
【図１３】受圧体の他の例を模式的に示す図である。
【図１４】受圧体の他の例を模式的に示す図である。
【図１５】受圧体の他の例を模式的に示す図である。
【図１６】受圧体の他の例を模式的に示す図である。
【図１７】受圧体の他の例を模式的に示す図である。
【図１８】受圧体の他の例を模式的に示す図である。
【図１９】受圧体の他の例を模式的に示す図である。
【図２０】受圧体の他の例を模式的に示す図である。
【図２１】受圧体の他の例を模式的に示す図である。
【図２２】受圧体の他の例を模式的に示す図である。
【図２３】受圧体の他の例を模式的に示す図である。
【図２４】受圧体の他の例を模式的に示す図である。
【図２５】受圧体の他の例を模式的に示す図である。
【図２６】受圧体の他の例を模式的に示す図である。
【図２７】受圧体の他の例を模式的に示す図である。
【図２８】受圧体の他の例を模式的に示す図である。
【図２９】受圧体の他の例を模式的に示す図である。
【図３０】受圧体の他の例を模式的に示す図である。
【図３１】受圧体の下面を模式的に示す図である。
【図３２】ナットを模式的に示す図である。
【図３３】ナットを模式的に示す図である。
【図３４】カップラーを模式的に示す図である。
【図３５】カップラーを模式的に示す図である。
【図３６】カップラーを模式的に示す図である。
【図３７】ロックボルトの施工例を模式的に示す図である。
【発明を実施するための形態】
【００２５】
以下、本発明の好適な実施の形態について図面を参照しながら説明する。
【００２６】
１．ロックボルトの構成
ロックボルト１００は、ボルト１０と、ボルト１０に取り付けられるナット２０と、受圧体３０とを含む。
【００２７】
受圧体３０は、ナット２０を通じて伝達されたボルト１０の引張力を地盤に対して分散伝達するためのものである。受圧体３０は、ボルト１０を通すための挿通孔３０ａと、挿通孔３０ａの周囲にナット２０を受けるナット受け部３２を有する。ナット受け部３２には、ナット２０と接触する突起部３４が設けられ、凹凸面が設けられている。
【００２８】
ナット受け部３２は、図１〜図３に示すように、ナット２０が設けられる側に湾曲させることができる。また、ナット受け部３２は、図４〜図６に示すように、ナット２０が設けられる側と反対側に湾曲させてもよい。
【００２９】
突起部３４は、たとえばナット２０と線又は点接触できるような帯状又は点状の突起により構成することができる。突起部３４は、図８〜図１２に示すように、ナット受け部３２の径方向に伸びるように設けられていてもよいし、若しくは、図１３〜図１８に示すように、ナット受け部３２の周方向に伸びるように設けられることもでき、又は、図１９〜図２１に示すように、この双方の態様を含んでもよい。突起部３２の形状は、図２２〜図２７に示すように、渦巻き状であってもよい。受圧体３０は、図２８〜図３０に示すように、ナット受け部３２と分離可能にとしてもよい。
【００３０】
ナット受け部３２がナット２０が設けられる側と反対側に湾曲させた場合には、図１６および図２５に示すように、受圧体２０のナットの受け部３２の周囲に、挿通孔３０ａに水が侵入するのを防ぐ水侵入防止部（水侵入防止片）３６を設けることができる。
【００３１】
受圧体３０の下面には、図３１に示すように、水を通すための流路３８が設けることができる。流路３８により、たとえば、ロックボルト１００を設置した後に、上側から流れてきた水を下方にスムーズに流すことができる。
【００３２】
ナット２０は、図３２および図３３に示すように、ナット２０に挿通されたボルト１０の部分を覆う態様にしてもよい。つまり、ナット２０とキャップとを一体的に設けることができる。
【００３３】
ナット２０のボルト１０への取り付け方としては、ナット２０に設けられた雌ネジを設け、ボルト１０にネジ溝を設けて、螺着させて取り付けることができる。ボルト１０の材質は、公知のものを適用することができ、たとえば、ＰＣ鋼棒からなることができる。ボルトの表面には、腐食を防止するための樹脂を設けてもよい。この樹脂は、シリコーン系の材質からなることができる。
【００３４】
また、ボルト１０を保護するためのサヤ管１２を設けてもよい。サヤ管１２は、受圧体３０のナット受け部３２の湾曲に応じた形状を有することで、圧力が分散され、受圧体３０への負担を軽減することができる。ボルト１０は長さを確保するために、図３４〜図３６に示すように、カプラー４０を通じて、複数本のボルト１０を連結してもよい。カプラー４０は長手方向に貫通孔を設け、その貫通孔に雌ネジを設けることで構成してもよい。
【００３５】
図３７に示すように、ボルト１０と地盤との削孔との間隔を確保する観点から、ボルト１０の周囲にスペーサー４２を設けてもよい。
【００３６】
２．使用方法
ロックボルト１００は、たとえば次のように使用される。図３７に示すように、地盤に削孔５２を設け、その削孔５２にボルト１０を挿入する。次に、受圧体３０の挿通孔３０ａからボルト１０を挿通し、受圧体３０を地盤の表面と対面するように設置する。次に、ナット２０をボルト１０に取り付けて締めることにより、ボルト１０の引張力を受圧体３０を通じて地盤に対して伝達させる。
【００３７】
３．作用効果
以下、本実施の形態に係る作用効果を説明する。
（１）ナット２０が突起部３４に点接触又は線接触することで、面接触に比べて、ナット２０が受圧体３０に対してしっかり当接することになり、受圧体３０に張力をより効果的に伝達させることができる。また、ナット２０が緩み難いという利点もある。
（２）ナット受け部３２の径方向に伸びる突起部３４が存在する場合には、ナット２０の座りがよくなる。つまり、ナット受け部が湾曲している場合であって、突起部が存在しないと、ナット２０がナット受け部に面接触することになり、ナット２０ががたつきやすい。しかし、突起部３４が存在することで、そのがたつきが生じにくい。
（３）周方向に伸びる突起部３４が存在する場合には、挿入孔３０ａに水が侵入するのを防ぐことができる。
（４）ナット受け部３２の径方向に伸びる突起部３４または周方向に伸びる突起部３４が存在する場合には、ナット受け部３２の補強部としての機能を奏することとになり、ナット受け部３４の強度を高めることができる。
（５）ナット受け部が湾曲している場合には、受圧体３０を鋳物で製造し難いという不利な点がある。これは、鋳物で作ったものは表面に鋳肌が生じ、ざらつきが発生してしまう。このため、鋳物により受圧体を形作った後に、表面を研磨するなどして滑らかにする必要があり、加工の工程数が多くなってしまうという問題である。しかし、この実施の形態によれば、突起部３４とナット２０とは、点接触又は線接触することになり、鋳物で受圧体３０を製造した後においても表面加工などの加工が不要であり、加工の工程数を増やすことなく鋳物で作るという二律背反の課題を解決することができる。
（６）ナット受け部３２が湾曲させることで、受圧体３０の強度を向上させることができる。
（７）受圧体３０がナットとは反対側に湾曲している場合には、ボルト１０の固定時において、ボルト１０の振り幅を大きくすることができる。また、ボルトの地面への突出部分を短くすることができる。
【００３８】
本実施の形態は、本発明の範囲内において種々の変形が可能である。
【産業上の利用可能性】
【００３９】
本発明のロックボルトは、地盤の安定化のための部材として、建設又は土木などの産業に広く適用される。
【符号の説明】
【００４０】
１０    ボルト
１２    サヤ管
２０    ナット
３０    プレート
３０ａ  挿通孔
３２    ナット受け部
３４    突起部
３６    水流入防止片
３８    流路
４０    カプラー
４２    スペーサー
１００  ロックボルト
【図１】
2011226115.tif 000003
【図２】
2011226115.tif 000004
【図３】
2011226115.tif 000005
【図４】
2011226115.tif 000006
【図５】
2011226115.tif 000007
【図６】
2011226115.tif 000008
【図７】
2011226115.tif 000009
【図８】
2011226115.tif 000010
【図９】
2011226115.tif 000011
【図１０】
2011226115.tif 000012
【図１１】
2011226115.tif 000013
【図１２】
2011226115.tif 000014
【図１３】
2011226115.tif 000015
【図１４】
2011226115.tif 000016
【図１５】
2011226115.tif 000017
【図１６】
2011226115.tif 000018
【図１７】
2011226115.tif 000019
【図１８】
2011226115.tif 000020
【図１９】
2011226115.tif 000021
【図２０】
2011226115.tif 000022
【図２１】
2011226115.tif 000023
【図２２】
2011226115.tif 000024
【図２３】
2011226115.tif 000025
【図２４】
2011226115.tif 000026
【図２５】
2011226115.tif 000027
【図２６】
2011226115.tif 000028
【図２７】
2011226115.tif 000029
【図２８】
2011226115.tif 000030
【図２９】
2011226115.tif 000031
【図３０】
2011226115.tif 000032
【図３１】
2011226115.tif 000033
【図３２】
2011226115.tif 000034
【図３３】
2011226115.tif 000035
【図３４】
2011226115.tif 000036
【図３５】
2011226115.tif 000037
【図３６】
2011226115.tif 000038
【図３７】
2011226115.tif 000039